(57)【要約】【課題】安価で容易に製造可能な粘着ローラー用ロール保持具および粘着ローラー、特に、非使用時に粘着テープが壁や床等の不衛生な面に接触することのない衛生面で優れた粘着ローラー用ロール保持具および粘着ローラーを提供すること。【解決手段】棒状シャフト２の一端にグリップ部３を有し、他端に中空円筒状粘着ロールを保持するためのロール保持部５を有する粘着ローラー用ロール保持具１。前記ロール保持部５は、弾性変形可能な棒状素材によって形成された環状構造からなっており、連結部４を介して前記シャフトに回動自在に連結されている点に特徴がある。上記ロール保持部５に、内空円筒状粘着ロールを装着して粘着ローラーとして使用する。【選択図】図１
2008023114.tif 000002
【特許請求の範囲】
【請求項１】
棒状シャフトの一端にグリップ部を有し、他端に中空円筒状粘着ロールを保持するためのロール保持部を有する粘着ローラー用ロール保持具において、前記ロール保持部が、前記粘着ロールの中空円筒内部に挿入される如く、弾性変形可能な棒状素材によって形成された環状構造からなると共に、連結部を介して前記シャフトに回動自在に連結されていることを特徴とする、粘着ローラー用ロール保持具。
【請求項２】
前記ロール保持部が、前記粘着ロール内に挿入されたときに該粘着ロールを緊密に係止する如く、環状構造の外側に向かう反発力を発現する、請求項１に記載された粘着ローラー用ロール保持具。
【請求項３】
前記環状構造が、開環部を有する開環環状構造である、請求項１または２の何れかに記載された粘着ローラー用ロール保持具。
【請求項４】
前記環状構造が長方形状である、請求項１−３の何れかに記載された粘着ローラー用ロール保持具。
【請求項５】
前記ロール保持部が、前記環状構造を形成する弾性変形可能な棒状素材の少なくとも一部を弾性素材で被覆してなる、請求項１−４の何れかに記載された粘着ローラー用ロール保持具。
【請求項６】
前記連結部がベアリング構造を有する、請求項１−５の何れかに記載された粘着ローラー用ロール保持具。
【請求項７】
前記粘着ロールをロール保持部に保持させて壁に吊り下げた状態または床に置いた状態において、前記粘着ロールの粘着表面が壁または床に接触しないようにシャフトが屈曲してなる、請求項１−６の何れかに記載された粘着ローラー用ロール保持具。
【請求項８】
前記ロール保持部の長辺中央部近傍を通るとともに該長辺に垂直な平面が前記グリップ部を有するシャフトを含む、請求項１−７の何れかに記載された粘着ローラー用ロール保持具。
【請求項９】
前記粘着ロールをロール保持部に保持させ、該粘着ロールの粘着表面が床に接触しないように床に置いた場合に、前記粘着ローラー用ロール保持具が転倒しないような転倒防止手段をシャフトが有してなる、請求項１−８の何れかに記載された粘着ローラー用ロール保持具。
【請求項１０】
前記粘着ローラー用ロール保持具が、衣類表面上に付着した異物除去用として好適な小型サイズである、請求項１−９の何れかに記載された粘着ローラー用ロール保持具。
【請求項１１】
請求項１−１０の何れかに記載された粘着ローラー用ロール保持具のロール保持部に、粘着面を外側にして巻きつけられた粘着テープからなる中空円筒状粘着ロールを装着してなることを特徴とする粘着ローラー。
【請求項１２】
前記粘着テープが、切り取りを容易にするためのミシン目を特定間隔で有する、請求項１１に記載された粘着ローラー。
【発明の詳細な説明】
【技術分野】
【０００１】
本発明は、床、畳、カーペット・絨毯等の敷物、寝具、机、衣類などの表面に付着した、ゴミ、埃、糸屑、髪の毛、ペットの抜け毛などを除去するための粘着ローラー用ロール保持具、および、それを用いた粘着ローラーに関する。
【背景技術】
【０００２】
従来から、衣類や絨毯に付着した塵埃、或は破損したガラスの小破片を除去するために用いられる様々な粘着ローラーが知られている（特許文献１）。これらの粘着ローラーは、粘着面を外側に向けて巻きつけられたロール状の粘着テープを絨毯などの上で回転移動させ、粘着テープの表面に塵埃を付着させて除去するものであり、塵埃付着能力がなくなった場合には、最表層のテープを剥ぎ取って新しい粘着面を露出させることにより、更に使用することが可能となる。
【特許文献１】実公昭４９−９６５７号公報
【０００３】
これらの粘着ローラーは、床、畳、カーペット・絨毯等の敷物、寝具、机、衣類などの表面に付着したゴミ、埃、糸屑、髪の毛、ペットの毛などを取り除くために一般家庭において用いられるだけでなく、各種の工場の衛生管理用途でも用いられている。特に、食品工場においては、入室時などに埃や毛髪などの異物の混入を防止するために、粘着ローラーによる衣類等に付着した異物の除去が実施されており、大量の粘着ローラーが使用されている。
【０００４】
しかしながら、これら従来の粘着ローラーは、粘着テープを使い終わった場合には新しい粘着テープに取替えて使用するものの、ロール保持具のシャフトを支える支持部を粘着テープの巻芯に設ける必要があるために、割高となっていた。また、これらの支持部に金属やプラスチック素材を用いた場合には、ゴミとしての処分時に、巻芯を形成する素材と支持部を構成する素材を分別する必要が生じるため、廃棄処分のためのコストが高くなるという欠点があった。斯かる欠点を解決するために、粘着テープの芯を単なる紙管とし、これに円筒状の回転保持部を挿入する製品も上市されているが、この場合には、製造に手間がかかる上回転保持部のコストが高くなるという欠点があった。
【０００５】
また、非使用時に粘着面が壁や床に触れないように、衛生面に配慮した粘着ローラーも開発されている（特許文献２および３）が、上記した欠点についての改善はなされておらず、いずれも、安価で容易に製造できるというものではないので、未だ十分に満足できるものではなかった。
【特許文献２】実開平０５−２１８５７号公報
【特許文献３】意匠登録第１２４１５６３号
【発明の開示】
【発明が解決しようとする課題】
【０００６】
従って本発明の第１の目的は、安価で容易に製造可能な粘着ローラー用ロール保持具を提供することにある。
本発明の第２の目的は、非使用時に粘着テープが壁や床等に接触することのない、衛生面で優れると共に安価で容易に製造可能な粘着ローラー用ロール保持具を提供することにある。
更に、本発明の第３の目的は、非使用時に粘着テープが壁や床等に接触することのない、衛生面で優れた安価な粘着ローラーを提供することにある。
【課題を解決するための手段】
【０００７】
本発明者等は、上記の諸目的を達成するために鋭意検討を重ねた結果、粘着ローラー用ロール保持具のシャフトの一端に、弾性変形可能な棒状素材によって形成された環状構造からなるロール保持部を回動自在に連結した場合には、粘着ローラー用ロール保持具を安価で容易に製造できることを見出し本発明に到達した。
【０００８】
すなわち、本発明は、棒状シャフトの一端にグリップ部を有し、他端に中空円筒状粘着ロールを保持するためのロール保持部を有する粘着ローラー用ロール保持具において、前記ロール保持部が、前記粘着ロールの中空円筒内部に挿入される如く、弾性変形可能な棒状素材によって形成された環状構造からなると共に、連結部を介して前記シャフトに回動自在に連結されていることを特徴とする粘着ローラー用ロール保持具およびそれを用いた粘着ローラーである。
【０００９】
本発明において、前記ロール保持部は、前記粘着ロール内に挿入されたときに該粘着ロールを緊密に係止する如く環状構造の外側に向かう反発力を発現することが必要であり、前記環状構造は、開環部を有する開環環状構造であることが好ましく、特に、長方形状であることが好ましい。また、前記環状構造を形成する弾性変形可能な棒状素材の少なくとも一部を弾性素材で被覆してもよい。さらに、前記連結部はベアリング構造を有することが好ましい。
【００１０】
本発明の粘着ローラー用ロール保持具は、前記粘着ロールをロール保持部に保持させて壁に吊り下げた状態または床に置いた状態において、前記粘着ロールの粘着表面が壁または床に接着しないようにシャフトを屈曲させることが好ましい。特に、前記ロール保持部の長辺中央部近傍を通るとともに該長辺に垂直な平面が、前記グリップ部を有するシャフトを含むことが好ましい。更に、前記粘着ロールをロール保持部に保持させ、該粘着ロールの粘着表面が床に接触しないように床に置いた場合に、前記粘着ローラー用ロール保持具が転倒しないような転倒防止手段をシャフトが有していることが好ましい。
また、本発明の粘着ローラー用ロール保持具は、特に、衣類表面上に付着した異物除去用として好適な小型サイズのものであることが好ましく、粘着ロール幅が３０ｍｍ〜１８０ｍｍ、特に、５０ｍｍ〜１６０ｍｍの粘着ロールを保持できるサイズが好適である。ロール保持部の長辺の長さは、３０ｍｍ〜１８０ｍｍが好ましく、５０ｍｍ〜１６０ｍｍが特に好ましい。
【００１１】
本発明の粘着ローラーは、本発明の粘着ローラー用ロール保持具に、粘着面を外側にして巻きつけられた粘着テープからなる中空円筒状粘着ロールを装着して用いられる。前記粘着テープとしては、切り取りを容易にするためのミシン目を特定間隔で有するものを用いることが好ましい
【発明の効果】
【００１２】
本発明の粘着ローラー用ロール保持具は、その構造が簡単であることから、容易に製造することが可能であり、粘着ローラー用ロール保持具のコストを下げることができる。また、非使用時に壁や床等との接触を避けることができるため、衛生面においても優れている。
【発明を実施するための最良の形態】
【００１３】
以下、本発明を実施例に基づいて説明するが、本発明はこれらに限定されるものではない。図１〜５および7は、本発明の粘着ローラー用ロール保持具の基本的実施態様を示す図であり、図６は、該粘着ローラー用ロール保持具に粘着ロールを装着した状態を示す図である。また、図８は、本発明の粘着ローラーの基本的実施態様を示す図である。
【００１４】
図１は本発明の粘着ローラー用ロール保持具（以下、単に「ロール保持具」とする。）の一例を示す図である。図中、符号１はロール保持具、２はシャフト、３はグリップ部、４は連結部、５はロール保持部、６は開環部である。本実施例におけるグリップ部３は、シャフト２の一端を環状構造に加工することによって構成されているが、独立したグリップ部をシャフト２の一端部に取り付けても良い。シャフト２の他端には、回動可能な連結部４を介して、粘着ロールを取り付けるためのロール保持部５が連結されている。
【００１５】
ロール保持部５は、金属製またはプラスチック製の弾性変形可能な棒からなり、開環部６を有する開環環状構造を形成している。前記ロール保持部５は環状構造からなり、環状であれば何れの形でも良い。例えば、円形、楕円形、長方形などが挙げられ、特に長方形状が好ましい。
【００１６】
前記ロール保持部５を環状構造とすることにより、円筒状の回転保持部を設けることなく簡単な構造で粘着ロールをしっかりと保持することができる。なお、粘着ロールを挿入し易くするために、粘着ロールを挿入する側の幅を反対側の幅に対して狭くなるように設計しても良い。
更に、前記ロール保持部５への粘着ロールの保持力を高めるため、前記ロール保持部５の環状構造の一部または全部に、突起構造、凸凹構造、ゴム製の滑り止めなど公知の滑り止め構造を設けることもできる。
【００１７】
また、前記ロール保持部５は、粘着ロール内に挿入されたときに該粘着ロールを緊密に係止する如く、環状構造の外側に向かう反発力を発現するように設計されることが好ましい。この外側に向かう反発力は、粘着ロールをロール保持部５にしっかりと保持するために特に有効である。上記反発力を削減可能な構造とすれば、粘着ロールの着脱をより容易なものとすることができる。
【００１８】
この外側に向かう反発力は、本発明のロール保持部５に粘着ロールを保持することができれば特に制限はないが、ロール保持部５の粘着ロールの円筒内壁と接触する棒状部材の少なくとも一部を、スポンジやゴム、その他弾性を有する樹脂などの弾性材料で被覆することにより、環状構造の外側に向かう反発力をもたせることも可能である。また、前記ロール保持部における環状構造の一部に開環部を有する開環環状構造とすることにより、効果的に反発力を発現することができる。
なお、開環部６の長さについては特に制限はなく、粘着ロールを保持するのに支障がない範囲で適宜選択される。
【００１９】
例えば、保持具のロール保持部５は、開環部６がロール保持部５の長辺の連結部４側に設けられたロール保持部５（図２）や、開環部６がロール保持部５の長辺中央に設けられたロール保持部５（図３）としても良い。また、図１に示されたロール保持部５と同じ形状のロール保持部５を、連結部４の長さを調節することにより、図１とは逆向きにシャフト２に回動自在に連結することも可能である（図４）。
【００２０】
次に、図１のシャフト２とロール保持部５とを回動自在に連結する連結部４は、シャフト２の連結部４側先端に円筒状部分を設け、ロール保持部５に先端ネジ切り等の加工が施された軸棒を前記筒状部分に挿入し、ナット等で固定する構造とするが、これに限定されるものではない。ロール保持部５側に、シャフト２を貫通させるような円筒状の連結部４を設け、貫通したシャフト２先端をボルト等で止めても良い。このような構造は、ロール保持部５と連結部４を一体成型することが可能となるので好ましい。また、前記連結部４は回動可能であれば良いが、ベアリングを内在させた構造とすることが、ロール保持部４の回転を滑らかにする観点から好ましい。
【００２１】
シャフト２は、金属やプラスチックからなる棒であり、軽量化のために筒状としてもよい。本実施例においては、グリップ部３から長手方向に伸びるシャフト２は、粘着ローラーを壁に吊り下げた状態で、ロール保持具５に装着した粘着ロール（図示しない）が壁に接触しないように「くの字型」に曲げられ、シャフト屈曲部２ａを形成している（図１の２ａ部）。このような形状にすることにより、粘着ローラーを壁に吊り下げる場合や床に置く場合に、壁や床などと粘着面との接触を避けることができる。
【００２２】
また、使い勝手を考慮し、粘着ロールがシャフト直線部２ｂの延長線上にバランスよく配されるように、ロール保持部５近傍のシャフト２が屈曲し、シャフト屈曲部２ｃを形成している（図１、２ｃ）。シャフト屈曲部２ｃと装着される粘着ロールの最表面が接触しないように、更に、シャフト屈曲部２ｄ部を設けることによって両者の間隔が保たれている。
【００２３】
図１において、シャフト屈曲部２ｃおよび２ｄは、それぞれ直線状で示されているが、粘着ロールがシャフト直線部２ｂの延長線上にバランスよく配され、装着される粘着ロールの最表面が接触しなければよく、各々が湾曲していても、シャフト屈曲部２ｃおよび２ｄ部分が一体化して湾曲していても良い。
【００２４】
図５は、本発明のロール保持具における他の例を示す横斜視図であり、図６は図５に示したロール保持具に粘着ロールを装着した図である。
本実施例においては、シャフト屈曲部２ｃがシャフト直線部２ｂからＬ状に曲げられるとともに、該２ｂ部および該２ｃ部に対してシャフト屈曲部２ｄ部がほぼ直角に更に曲げられている（図５，２ｂ−２ｄ参照）。なお、ロール保持部５がシャフト直線部２ｂの延長線上からオフセット状態にあれば直角でなくても良い。また、該２ｄ部の長さは、粘着テープの回転を妨げない長さであれば特に限定されるものではなく、通常、粘着テープの最大半径の約１．５倍とすることが好ましい。
このような構造にすることによって、図１のシャフト２にシャフト屈曲部２ａを設けなくても、粘着ローラーを壁に吊り下げた場合や床に置いた場合に粘着ロールの表面が壁や床に接触することがない。
【００２５】
本実施例では、前記ロール保持部５の長辺中央部近傍を通る該長辺に垂直な平面９に、グリップ部３から長手方向に伸びるシャフト直線部２ｂが含まれるようにシャフト屈曲部２ｃの長さが調節されている（図６）。このようにすることによって、粘着ローラー７を壁に吊り下げた際の重量バランスを良好なものとし、床や壁などとの接触を効果的に避けることができるのみならず、使い勝手も良いものとなる。
【００２６】
また、粘着ロール８を保持させたロール保持具１を床に置いた場合に、ロール保持具１が転倒しないような転倒防止手段をシャフト２に設けることが好ましい。例えば、シャフト直線部２ｂとシャフト屈曲部２ｃとの間に、シャフト屈曲部２ｄと逆方向に突出した転倒防止部１１を設けたり（図７）、シャフト直線部２ｂとシャフト屈曲部２ｃとの境界部付近に板状部材などの転倒防止部材を取り付けることができる。このような転倒防止手段を設けることにより、粘着ロール８を保持させてロール保持具１を床に置いたときのロール保持具１の安定性が向上する。その結果、ロール保持具１の転倒が有効に防止され、粘着ロール８の粘着面の床への接触が確実に回避できるため、非常に衛生的である。
【００２７】
上記シャフト２は公知の材料を用いて作製することができるが、軽量化の観点から、特に、アルミニウムまたはプラスチックを使用することが好ましい。特に食品工場等において用いられる衣類表面上に付着した異物除去用途に好適な小型の粘着ローラーの場合には、安価で軽量なプラスチックを使用することが好ましい。プラスチックであれば、シャフト、グリップ部および連結部を一体成型することも容易である。また、丈夫にしてトータルコストを下げる観点から、鉄材等を使用しても良いことは当然である。
【００２８】
本発明のロール保持具には、粘着面を外側に向けて粘着テープが巻きつけられた中空円筒状の粘着ロール８がローラー保持部５に装着され、該粘着ロール８を対象物１０の上で回転移動させ、その表面に付着した異物を取り除くことが可能となる（図８）。
【００２９】
本発明のロール保持具に装着される粘着ロール８は、粘着面を外側に向けて巻きつけられた中空円筒状の粘着テープであれば、特に制限されることはないが、ロール保持部に保持させ易いことから、巻芯１２があるものを用いることが好ましい（図６，８）。また、粘着テープの巻芯としては、再利用可能な、紙やプラスチックなど、公知の素材の中から適宜選択することができるが、粘着ロールが使い捨てされる場合には、環境適合性に優れる素材として紙を選択することが特に好ましい。
なお、粘着力がなくなった場合における最表層のテープの剥ぎ取りを容易にするため、ミシン目を特定間隔で有する粘着テープを用いることもできる。
【００３０】
本発明のロール保持具は、机、衣類などに用いられる小型粘着ローラーのみならず、床、カーペット・絨毯などに用いる大型粘着ローラー用として用いることができるが、特に、衣類表面上に付着した異物除去用として好適な小型サイズのものであることが好ましい。具体的には、テープ幅が３０ｍｍ〜１８０ｍｍ、特に、５０ｍｍ〜１６０ｍｍの粘着ロールを保持できるサイズが好適である。ロール保持部の長辺の長さは３０ｍｍ〜１８０ｍｍが好ましく、５０ｍｍ〜１６０ｍｍが特に好ましい。
このような小型サイズのロール保持具を用いた粘着ローラーは、帽子、脇下、背中、足の内側や後ろ側などの、埃の取り難い部分に付着した毛髪や埃を効果的に除去することができるため、毛髪等の異物混入防止が必須である食品工場等で用いられる小型粘着ローラーとして特に有用である。
【図面の簡単な説明】
【００３１】
【図１】本発明の粘着ローラー用ロール保持具の１例を示す図である。
【図２】本発明の粘着ローラー用ロール保持具の他の例を示す図である。
【図３】本発明の粘着ローラー用ロール保持具の他の例を示す図である。
【図４】本発明の粘着ローラー用ロール保持具の他の例を示す図である。
【図５】本発明の粘着ローラー用ロール保持具の他の例を示す横斜視図である。
【図６】本発明のロール保持具に粘着ロールを装着した状態を示す説明図である。
【図７】本発明の粘着ローラー用ロール保持具の他の例を示す図である。
【図８】本発明の粘着ローラーの使用態様を示す図である。
【符号の説明】
【００３２】
１    ロール保持具
２    シャフト
２ａ  シャフト屈曲部
２ｂ  シャフト直線部
２ｃ  シャフト屈曲部
２ｄ  シャフト屈曲部
３    グリップ部
４    連結部
５    ロール保持部
６    開環部
７    粘着ローラー
８    粘着ロール
９    ロール保持部の長辺中央部近傍を通る該長辺に垂直な平面
１０  対象物
１１  転倒防止部
１２  巻芯
【図１】
2008023114.tif 000003
【図２】
2008023114.tif 000004
【図３】
2008023114.tif 000005
【図４】
2008023114.tif 000006
【図５】
2008023114.tif 000007
【図６】
2008023114.tif 000008
【図７】
2008023114.tif 000009
【図８】
2008023114.tif 000010